(57)【特許請求の範囲】
【請求項１】
頸部を保冷又は保温する頸部保冷保温体装着体（１２）と、右の鼠蹊部を保冷又は保温する右鼠蹊部保冷保温体装着体（１４）と、左の鼠蹊部を保冷又は保温する左鼠蹊部保冷保温体装着体（１６）と、を備えて成る保冷体・保温体装着具であって、前記頸部保冷保温体装着体（１２）に形成されると共に保冷体又は保温体を収容する頸部保冷保温体収容部（２０）と、この頸部保冷保温体収容部（２０）の一側に設けられた伸縮性を有する頸部保冷保温体収容部第１装着ベルト（３０）と、前記頸部保冷保温体収容部（２０）の他側に設けられた伸縮性を有する頸部保冷保温体収容部第２装着ベルト（３２）と、前記右鼠蹊部保冷保温体装着体（１４）に形成されると共に保冷体又は保温体を収容する右鼠蹊部保冷保温体収容部（４０）と、この右鼠蹊部保冷保温体収容部（４０）の一側に設けられた伸縮性を有する右鼠蹊部保冷保温体収容部第１装着ベルト（５０）と、前記右鼠蹊部保冷保温体収容部（４０）の他側に設けられた伸縮性を有する右鼠蹊部保冷保温体収容部第２装着ベルト（５２）と、前記左鼠蹊部保冷保温体装着体（１６）に形成されると共に保冷体又は保温体を収容する左鼠蹊部保冷保温体収容部（６０）と、この左鼠蹊部保冷保温体収容部（６０）の一側に設けられた伸縮性を有する左鼠蹊部保冷保温体収容部第１装着ベルト（７０）と、前記左鼠蹊部保冷保温体収容部（６０）の他側に設けられた伸縮性を有する左鼠蹊部保冷保温体収容部第２装着ベルト（７２）と、を有してなることを特徴とする保冷体・保温体装着具。
【請求項２】
頸部を保冷又は保温する頸部保冷保温体装着体（１２）と、右の鼠蹊部を保冷又は保温する右鼠蹊部保冷保温体装着体（１４）と、左の鼠蹊部を保冷又は保温する左鼠蹊部保冷保温体装着体（１６）と、を備えて成る保冷体・保温体装着具であって、前記頸部保冷保温体装着体（１２）に形成されると共に保冷体又は保温体を収容する頸部保冷保温体収容部（２０）と、この頸部保冷保温体収容部（２０）の一側に設けられた伸縮性を有する頸部保冷保温体収容部第１装着ベルト（３０）と、前記頸部保冷保温体収容部（２０）の他側に設けられた伸縮性を有する頸部保冷保温体収容部第２装着ベルト（３２）と、前記右鼠蹊部保冷保温体装着体（１４）に形成されると共に保冷体又は保温体を収容する右鼠蹊部保冷保温体収容部（４０）と、この右鼠蹊部保冷保温体収容部（４０）の一側に設けられた伸縮性を有する右鼠蹊部保冷保温体収容部第１装着ベルト（５０）と、前記右鼠蹊部保冷保温体収容部（４０）の他側に設けられた伸縮性を有する右鼠蹊部保冷保温体収容部第２装着ベルト（５２）と、前記右鼠蹊部保冷保温体収容部第１装着ベルト（５０）及び前記右鼠蹊部保冷保温体収容部第２装着ベルト（５２）の先端部に設けられた連結具と、前記左鼠蹊部保冷保温体装着体（１６）に形成されると共に保冷体又は保温体を収容する左鼠蹊部保冷保温体収容部（６０）と、この左鼠蹊部保冷保温体収容部（６０）の一側に設けられた伸縮性を有する左鼠蹊部保冷保温体収容部第１装着ベルト（７０）と、前記左鼠蹊部保冷保温体収容部（６０）の他側に設けられた伸縮性を有する左鼠蹊部保冷保温体収容部第２装着ベルト（７２）と、前記左鼠蹊部保冷保温体収容部第１装着ベルト（７０）及び前記左鼠蹊部保冷保温体収容部第２装着ベルト（７２）の先端部に設けられた連結具と、を有してなることを特徴とする保冷体・保温体装着具。
【請求項３】
頸部を保冷又は保温する頸部保冷保温体装着体（１２）と、右の鼠蹊部を保冷又は保温する右鼠蹊部保冷保温体装着体（１４）と、左の鼠蹊部を保冷又は保温する左鼠蹊部保冷保温体装着体（１６）と、を備えて成る保冷体・保温体装着具であって、前記頸部保冷保温体装着体（１２）に形成されると共に保冷体又は保温体を収容する頸部保冷保温体収容部（２０）と、この頸部保冷保温体収容部（２０）の一側に設けられた伸縮性を有する頸部保冷保温体収容部第１装着ベルト（３０）と、前記頸部保冷保温体収容部（２０）の他側に設けられた伸縮性を有する頸部保冷保温体収容部第２装着ベルト（３２）と、前記頸部保冷保温体収容部第１装着ベルト（３０）及び前記頸部保冷保温体収容部第２装着ベルト（３２）の先端部に設けられた連結具と、前記右鼠蹊部保冷保温体装着体（１４）に形成されると共に保冷体又は保温体を収容する右鼠蹊部保冷保温体収容部（４０）と、この右鼠蹊部保冷保温体収容部（４０）の一側に設けられた伸縮性を有する右鼠蹊部保冷保温体収容部第１装着ベルト（５０）と、前記右鼠蹊部保冷保温体収容部（４０）の他側に設けられた伸縮性を有する右鼠蹊部保冷保温体収容部第２装着ベルト（５２）と、前記右鼠蹊部保冷保温体収容部第１装着ベルト（５０）及び前記右鼠蹊部保冷保温体収容部第２装着ベルト（５２）の先端部に設けられた連結具と、前記左鼠蹊部保冷保温体装着体（１６）に形成されると共に保冷体又は保温体を収容する左鼠蹊部保冷保温体収容部（６０）と、この左鼠蹊部保冷保温体収容部（６０）の一側に設けられた伸縮性を有する左鼠蹊部保冷保温体収容部第１装着ベルト（７０）と、前記左鼠蹊部保冷保温体収容部（６０）の他側に設けられた伸縮性を有する左鼠蹊部保冷保温体収容部第２装着ベルト（７２）と、前記左鼠蹊部保冷保温体収容部第１装着ベルト（７０）及び前記左鼠蹊部保冷保温体収容部第２装着ベルト（７２）の先端部に設けられた連結具と、を有してなることを特徴とする保冷体・保温体装着具。
【請求項４】
頸部を保冷又は保温する頸部保冷保温体装着体（１２）と、右の鼠蹊部を保冷又は保温する右鼠蹊部保冷保温体装着体（１４）と、左の鼠蹊部を保冷又は保温する左鼠蹊部保冷保温体装着体（１６）と、を備えて成る保冷体・保温体装着具であって、前記頸部保冷保温体装着体（１２）に形成されると共に保冷体又は保温体を収容する頸部保冷保温体収容部（２０）と、この頸部保冷保温体収容部（２０）の一側に設けられた伸縮性を有する頸部保冷保温体収容部第１装着ベルト（３０）と、前記頸部保冷保温体収容部（２０）の他側に設けられた伸縮性を有する頸部保冷保温体収容部第２装着ベルト（３２）と、前記頸部保冷保温体収容部第１装着ベルト（３０）及び前記頸部保冷保温体収容部第２装着ベルト（３２）の先端部に設けられた連結具を介して着脱可能に設けられた連結片（３６）と、前記右鼠蹊部保冷保温体装着体（１４）に形成されると共に保冷体又は保温体を収容する右鼠蹊部保冷保温体収容部（４０）と、この右鼠蹊部保冷保温体収容部（４０）の一側に設けられた伸縮性を有する右鼠蹊部保冷保温体収容部第１装着ベルト（５０）と、前記右鼠蹊部保冷保温体収容部（４０）の他側に設けられた伸縮性を有する右鼠蹊部保冷保温体収容部第２装着ベルト（５２）と、前記右鼠蹊部保冷保温体収容部第１装着ベルト（５０）の先端部及び前記右鼠蹊部保冷保温体収容部第２装着ベルト（５２）の先端部に設けられた連結具と、前記左鼠蹊部保冷保温体装着体（１６）に形成されると共に保冷体又は保温体を収容する左鼠蹊部保冷保温体収容部（６０）と、この左鼠蹊部保冷保温体収容部（６０）の一側に設けられた伸縮性を有する左鼠蹊部保冷保温体収容部第１装着ベルト（７０）と、前記左鼠蹊部保冷保温体収容部（６０）の他側に設けられた伸縮性を有する左鼠蹊部保冷保温体収容部第２装着ベルト（７２）と、前記左鼠蹊部保冷保温体収容部第１装着ベルト（７０）の先端部及び前記左鼠蹊部保冷保温体収容部第２装着ベルト（７２）の先端部に設けられた連結具と、を有してなることを特徴とする保冷体・保温体装着具。
【発明の詳細な説明】
【技術分野】
【０００１】
本発明は、身体に装着することにより身体の頸部と鼠蹊部を同時に冷やしたり、温めたりすることができる保冷体・保温体装着具に関する。
【背景技術】
【０００２】
風邪等で高熱をだしている時にリンパ腺のある頸部やリンパ腺のある鼠蹊部を冷やすことは熱を下げるためには効果的であることが知られている。
しかし、従来は寝ている状態で頸部を冷やす場合は頸部の下に保冷体を置いて頸部を冷やしている。また、腿の付け根の鼠蹊部を冷やす場合は鼠蹊部に保冷体を置いて鼠蹊部を冷やしている。
このため、寝ている場合に寝返り等で身体が動いたりすると保冷体が頸部や鼠蹊部と対応しなくなり頸部や鼠蹊部を冷やすことができないという不具合がある。
また、パジャマの上着やパジャマのズボン等に保冷剤を収容して取り付けて身体を冷やして解熱を図る解熱用具（特許文献１）や被服の脇下部にポケットを形成してポケットに保冷体を配設できる保冷用被服（特許文献２）が提案されている。
しかし、この解熱用具はパジャマ等の衣服の上着やズボン等に保冷剤を取り付けるものであり、また、保冷用被服は脇下部に形成されたポケットに保冷体を配設するものであるため頸部を冷やすには不向きである。
また、前記解熱用具や保冷用被服は保冷剤や保冷体が身体に密着しずらいので身体の冷やしたい箇所を効率よく冷やすことが困難であるという不具合がある。
【特許文献１】実用新案登録第３０３８８２７号
【特許文献２】特開２００３−５５８１１
【発明の開示】
【発明が解決しようとする課題】
【０００３】
本発明は、上記事実に鑑みなされたものであり、身体に密着して頸部と鼠蹊部を同時に冷やしたり温めたりすることができる保冷体・保温体装着具を提供するものである。
【課題を解決するための手段】
【０００４】
請求項１の発明は、頸部を保冷又は保温する頸部保冷保温体装着体（１２）と、右の鼠蹊部を保冷又は保温する右鼠蹊部保冷保温体装着体（１４）と、左の鼠蹊部を保冷又は保温する左鼠蹊部保冷保温体装着体（１６）と、を備えて成る保冷体・保温体装着具であって、前記頸部保冷保温体装着体（１２）に形成されると共に保冷体又は保温体を収容する頸部保冷保温体収容部（２０）と、この頸部保冷保温体収容部（２０）の一側に設けられた伸縮性を有する頸部保冷保温体収容部第１装着ベルト（３０）と、前記頸部保冷保温体収容部（２０）の他側に設けられた伸縮性を有する頸部保冷保温体収容部第２装着ベルト（３２）と、前記右鼠蹊部保冷保温体装着体（１４）に形成されると共に保冷体又は保温体を収容する右鼠蹊部保冷保温体収容部（４０）と、この右鼠蹊部保冷保温体収容部（４０）の一側に設けられた伸縮性を有する右鼠蹊部保冷保温体収容部第１装着ベルト（５０）と、前記右鼠蹊部保冷保温体収容部（４０）の他側に設けられた伸縮性を有する右鼠蹊部保冷保温体収容部第２装着ベルト（５２）と、前記左鼠蹊部保冷保温体装着体（１６）に形成されると共に保冷体又は保温体を収容する左鼠蹊部保冷保温体収容部（６０）と、この左鼠蹊部保冷保温体収容部（６０）の一側に設けられた伸縮性を有する左鼠蹊部保冷保温体収容部第１装着ベルト（７０）と、前記左鼠蹊部保冷保温体収容部（６０）の他側に設けられた伸縮性を有する左鼠蹊部保冷保温体収容部第２装着ベルト（７２）と、を有してなることを特徴としている。
請求項２の発明は、頸部を保冷又は保温する頸部保冷保温体装着体（１２）と、右の鼠蹊部を保冷又は保温する右鼠蹊部保冷保温体装着体（１４）と、左の鼠蹊部を保冷又は保温する左鼠蹊部保冷保温体装着体（１６）と、を備えて成る保冷体・保温体装着具であって、前記頸部保冷保温体装着体（１２）に形成されると共に保冷体又は保温体を収容する頸部保冷保温体収容部（２０）と、この頸部保冷保温体収容部（２０）の一側に設けられた伸縮性を有する頸部保冷保温体収容部第１装着ベルト（３０）と、前記頸部保冷保温体収容部（２０）の他側に設けられた伸縮性を有する頸部保冷保温体収容部第２装着ベルト（３２）と、前記右鼠蹊部保冷保温体装着体（１４）に形成されると共に保冷体又は保温体を収容する右鼠蹊部保冷保温体収容部（４０）と、この右鼠蹊部保冷保温体収容部（４０）の一側に設けられた伸縮性を有する右鼠蹊部保冷保温体収容部第１装着ベルト（５０）と、前記右鼠蹊部保冷保温体収容部（４０）の他側に設けられた伸縮性を有する右鼠蹊部保冷保温体収容部第２装着ベルト（５２）と、前記右鼠蹊部保冷保温体収容部第１装着ベルト（５０）及び前記右鼠蹊部保冷保温体収容部第２装着ベルト（５２）の先端部に設けられた連結具と、前記左鼠蹊部保冷保温体装着体（１６）に形成されると共に保冷体又は保温体を収容する左鼠蹊部保冷保温体収容部（６０）と、この左鼠蹊部保冷保温体収容部（６０）の一側に設けられた伸縮性を有する左鼠蹊部保冷保温体収容部第１装着ベルト（７０）と、前記左鼠蹊部保冷保温体収容部（６０）の他側に設けられた伸縮性を有する左鼠蹊部保冷保温体収容部第２装着ベルト（７２）と、前記左鼠蹊部保冷保温体収容部第１装着ベルト（７０）及び前記左鼠蹊部保冷保温体収容部第２装着ベルト（７２）の先端部に設けられた連結具と、を有してなることを特徴としている。
請求項３の発明は、頸部を保冷又は保温する頸部保冷保温体装着体（１２）と、右の鼠蹊部を保冷又は保温する右鼠蹊部保冷保温体装着体（１４）と、左の鼠蹊部を保冷又は保温する左鼠蹊部保冷保温体装着体（１６）と、を備えて成る保冷体・保温体装着具であって、前記頸部保冷保温体装着体（１２）に形成されると共に保冷体又は保温体を収容する頸部保冷保温体収容部（２０）と、この頸部保冷保温体収容部（２０）の一側に設けられた伸縮性を有する頸部保冷保温体収容部第１装着ベルト（３０）と、前記頸部保冷保温体収容部（２０）の他側に設けられた伸縮性を有する頸部保冷保温体収容部第２装着ベルト（３２）と、前記頸部保冷保温体収容部第１装着ベルト（３０）及び前記頸部保冷保温体収容部第２装着ベルト（３２）の先端部に設けられた連結具と、前記右鼠蹊部保冷保温体装着体（１４）に形成されると共に保冷体又は保温体を収容する右鼠蹊部保冷保温体収容部（４０）と、この右鼠蹊部保冷保温体収容部（４０）の一側に設けられた伸縮性を有する右鼠蹊部保冷保温体収容部第１装着ベルト（５０）と、前記右鼠蹊部保冷保温体収容部（４０）の他側に設けられた伸縮性を有する右鼠蹊部保冷保温体収容部第２装着ベルト（５２）と、前記右鼠蹊部保冷保温体収容部第１装着ベルト（５０）及び前記右鼠蹊部保冷保温体収容部第２装着ベルト（５２）の先端部に設けられた連結具と、前記左鼠蹊部保冷保温体装着体（１６）に形成されると共に保冷体又は保温体を収容する左鼠蹊部保冷保温体収容部（６０）と、この左鼠蹊部保冷保温体収容部（６０）の一側に設けられた伸縮性を有する左鼠蹊部保冷保温体収容部第１装着ベルト（７０）と、前記左鼠蹊部保冷保温体収容部（６０）の他側に設けられた伸縮性を有する左鼠蹊部保冷保温体収容部第２装着ベルト（７２）と、前記左鼠蹊部保冷保温体収容部第１装着ベルト（７０）及び前記左鼠蹊部保冷保温体収容部第２装着ベルト（７２）の先端部に設けられた連結具と、を有してなることを特徴としている。
請求項４の発明は、頸部を保冷又は保温する頸部保冷保温体装着体（１２）と、右の鼠蹊部を保冷又は保温する右鼠蹊部保冷保温体装着体（１４）と、左の鼠蹊部を保冷又は保温する左鼠蹊部保冷保温体装着体（１６）と、を備えて成る保冷体・保温体装着具であって、前記頸部保冷保温体装着体（１２）に形成されると共に保冷体又は保温体を収容する頸部保冷保温体収容部（２０）と、この頸部保冷保温体収容部（２０）の一側に設けられた伸縮性を有する頸部保冷保温体収容部第１装着ベルト（３０）と、前記頸部保冷保温体収容部（２０）の他側に設けられた伸縮性を有する頸部保冷保温体収容部第２装着ベルト（３２）と、前記頸部保冷保温体収容部第１装着ベルト（３０）及び前記頸部保冷保温体収容部第２装着ベルト（３２）の先端部に設けられた連結具を介して着脱可能に設けられた連結片（３６）と、前記右鼠蹊部保冷保温体装着体（１４）に形成されると共に保冷体又は保温体を収容する右鼠蹊部保冷保温体収容部（４０）と、この右鼠蹊部保冷保温体収容部（４０）の一側に設けられた伸縮性を有する右鼠蹊部保冷保温体収容部第１装着ベルト（５０）と、前記右鼠蹊部保冷保温体収容部（４０）の他側に設けられた伸縮性を有する右鼠蹊部保冷保温体収容部第２装着ベルト（５２）と、前記右鼠蹊部保冷保温体収容部第１装着ベルト（５０）の先端部及び前記右鼠蹊部保冷保温体収容部第２装着ベルト（５２）の先端部に設けられた連結具と、前記左鼠蹊部保冷保温体装着体（１６）に形成されると共に保冷体又は保温体を収容する左鼠蹊部保冷保温体収容部（６０）と、この左鼠蹊部保冷保温体収容部（６０）の一側に設けられた伸縮性を有する左鼠蹊部保冷保温体収容部第１装着ベルト（７０）と、前記左鼠蹊部保冷保温体収容部（６０）の他側に設けられた伸縮性を有する左鼠蹊部保冷保温体収容部第２装着ベルト（７２）と、前記左鼠蹊部保冷保温体収容部第１装着ベルト（７０）の先端部及び前記左鼠蹊部保冷保温体収容部第２装着ベルト（７２）の先端部に設けられた連結具と、を有してなることを特徴としている。
【発明の効果】
【０００５】
本発明は、保冷体や保温体を頸部部と鼠蹊部に密着させて頸部部と鼠蹊部を同時に冷やしたり温めたりしたりすることができるという優れた効果を有する。
また、本発明は、身体に密着させた状態で保冷体や保温体を装着することができるので身体を動かす仕事やスポーツ等をする場合でも頸部と鼠蹊部を同時に冷やしたり温めたりしたりすることができるという優れた効果を有する。
【発明を実施するための最良の形態】
【０００６】
発明を実施するために最良の形態の例として以下のような実施例を示す。
【実施例１】
【０００７】
図１〜図６には本発明に係わる保冷体・保温体装着具の第１実施例が示されている。なお、この実施例では保冷体・保温体装着具を使用して頸部と鼠蹊部を冷やす場合を例にして説明する。
図１に示されるように、本発明の保冷体・保温体装着具１０は頸部１を冷やしたり温めたりすることができる頸部保冷保温体装着体１２と、右の鼠蹊部２を冷やしたり温めたりすることができる右鼠蹊部保冷保温体装着体１４と、左の鼠蹊部３を冷やしたり温めたりすることができる左鼠蹊部保冷保温体装着体１６と、を備えている。
図２には前記頸部保冷保温体装着体１２が示されている。この頸部保冷保温体装着体１２の頸部保冷保温体収容部２０は布で袋状に形成されている。
図３に示されるように、この頸部保冷保温体収容部２０の正面側面２２は正面上側部２４と正面下側部２６とから構成されている。この正面上側部２４と正面下側部２６の間に開口部２８が形成されている。前記正面上側部２４の下部２４Ａと正面下側部２６の上部２６Ａは重なり合うようにして形成され、前記開口部２８は通常閉じられている。前記頸部保冷保温体収容部２０は保冷剤が入った公知の保冷体２９を収容することができ、開口部２８を介して保冷体２９を出し入れできるようになっている。なお、前記開口部２８は正面上側部２４の下部２４Ａと正面下側部２６の上部２６Ａは重なり合って閉じられているので開口部２８から保冷体２９が不用意に飛び出してしまうことはない。
図２に示されるように、前記頸部保冷保温体収容部２０の一側には頸部保冷保温体収容部第１装着ベルト３０が取り付けられ、頸部保冷保温体収容部２０の他側には頸部保冷保温体収容部第２装着ベルト３２が取り付けられている。この頸部保冷保温体収容部第１装着ベルト３０と頸部保冷保温体収容部第２装着ベルト３２はゴム等の伸縮性素材で同じ長さに形成されている。
前記頸部保冷保温体収容部第１装着ベルト３０と頸部保冷保温体収容部第２装着ベルト３２の先端にはそれぞれ連結具としての挟持バックル３４が取り付けられている。これら挟持バックル３４はそれぞれ矩形状の連結片３６を挟持している。
図４には前記右鼠蹊部保冷保温体装着体１４が示されている。この右鼠蹊部保冷保温体装着体１４の右鼠蹊部保冷保温体収容部４０は布で袋状に形成され保冷体２９を収容できるようになっている。
図５に示されるように、この右鼠蹊部保冷保温体収容部４０の正面側面４２は正面上側部４４と正面下側部４６とから構成されている。この正面上側部４４と正面下側部４６の間に開口部４８が形成されている。前記正面上側部４４の下部４４Ａと正面下側部４６の上部４６Ａは重なり合うようにして形成され、前記開口部４８は通常閉じられている。前記右鼠蹊部保冷保温体収容部４０には前記開口部４８を介して保冷体２９を出し入れできるようになっている。
図４に示されるように、前記右鼠蹊部保冷保温体収容部４０の一側には右鼠蹊部保冷保温体収容部第１装着ベルト５０が取り付けられ、右鼠蹊部保冷保温体収容部４０の他側には右鼠蹊部保冷保温体収容部第２装着ベルト５２が取り付けられている。この右鼠蹊部保冷保温体収容部第１装着ベルト５０と右鼠蹊部保冷保温体収容部第２装着ベルト５２はゴム等の伸縮性素材で形成されている。なお、右鼠蹊部保冷保温体収容部第１装着ベルト５０は長く、右鼠蹊部保冷保温体収容部第２装着ベルト５２は短く形成されている。
前記右鼠蹊部保冷保温体収容部第１装着ベルト５０と右鼠蹊部保冷保温体収容部第２装着ベルト５２の先端には連結具としての挟持バックル５４がそれぞれ取り付けられている。
図６には前記左鼠蹊部保冷保温体装着体１６が示されている。なお、この左鼠蹊部保冷保温体装着体１６は前記右鼠蹊部保冷保温体装着体１４と同一構成である。
前記左鼠蹊部保冷保温体装着体１６の左鼠蹊部保冷保温体収容部６０は布で袋状に形成され保冷体２９を収容できるようになっている。
この左鼠蹊部保冷保温体収容部６０の正面側面６２は正面上側部６４と正面下側部６６とから構成されている。この正面上側部６４と正面下側部６６の間に開口部６８が形成されている。前記正面上側部６４の下部６４Ａと正面下側部６６の上部６６Ａは重なり合うようにして形成され、前記開口部６８は通常閉じられている。前記左鼠蹊部保冷保温体収容部６０には前記開口部６８を介して保冷体２９を出し入れできるようになっている。
前記左鼠蹊部保冷保温体収容部６０の一側には左鼠蹊部保冷保温体収容部第１装着ベルト７０が取り付けられ、左鼠蹊部保冷保温体収容部６０の他側には左鼠蹊部保冷保温体収容部第２装着ベルト７２が取り付けられている。この左鼠蹊部保冷保温体収容部第１装着ベルト７０と左鼠蹊部保冷保温体収容部第２装着ベルト７２はゴム等の伸縮性素材で形成されている。なお、左鼠蹊部保冷保温体収容部第１装着ベルト７０は長く、左鼠蹊部保冷保温体収容部第２装着ベルト７２は短く形成されている。
前記左鼠蹊部保冷保温体収容部第１装着ベルト７０と左鼠蹊部保冷保温体収容部第２装着ベルト７２の先端には連結具としての挟持バックル７４がそれぞれ取り付けられている。
【０００８】
次に、第１実施例の保冷体・保温体装着具１０の作用について説明する。
第１実施例の保冷体・保温体装着具１０を身体に装着する場合は、頸部保冷保温体装着体１２を頸部１に掛けるようにして頸部保冷保温体収容部２０を頸部１に対応させる。
次に、右鼠蹊部保冷保温体装着体１４の右鼠蹊部保冷保温体収容部４０を右の鼠蹊部２に対応させる。
そして、前記右鼠蹊部保冷保温体収容部第１装着ベルト５０を後方から前方に配設させて右鼠蹊部保冷保温体収容部第１装着ベルト５０の挟持バックル５４を前記頸部保冷保温体収容部第１装着ベルト３０に取り付けられている連結片３６に挟持すると共に前記右鼠蹊部保冷保温体収容部第２装着ベルト５２を前方に配設させて右鼠蹊部保冷保温体収容部第２装着ベルト５２の挟持バックル５４を前記連結片３６に挟持する。
次に、左鼠蹊部保冷保温体装着体１６の左鼠蹊部保冷保温体収容部６０を左の鼠蹊部３に対応させる。
そして、前記左鼠蹊部保冷保温体収容部第１装着ベルト７０を後方から前方に配設させて左鼠蹊部保冷保温体収容部第１装着ベルト７０の挟持バックル７４を前記頸部保冷保温体収容部第２装着ベルト３２に取り付けられている連結片３６に挟持すると共に前記左鼠蹊部保冷保温体収容部第２装着ベルト７２を前方に配設させて左鼠蹊部保冷保温体収容部第２装着ベルト７２の挟持バックル７４を前記連結片３６に挟持する。
これにより、図１に示されるように保冷体・保温体装着具１０を身体に密着状態で装着することができる。
従って、本発明の保冷体・保温体装着具１０を身体に装着すると図１に示されるように頸部保冷保温体収容部２０は頸部１に密着対応し、右鼠蹊部保冷保温体収容部４０は右の鼠蹊部２に密着対応し、左鼠蹊部保冷保温体収容部６０は左の鼠蹊部３に密着対応する。
これにより、前記頸部保冷保温体収容部２０、右鼠蹊部保冷保温体収容部４０、左鼠蹊部保冷保温体収容部６０に収容された保冷体２９によって頸部１と右の鼠蹊部２と左の鼠蹊部３を同時に冷やすことができる。
しかも、前記保冷体・保温体装着具１０は身体に密着した状態で装着されるので寝返り等をしても頸部保冷保温体収容部２０が頸部１からずれたり、右鼠蹊部保冷保温体収容部４０が右の鼠蹊部２からずれたり、左鼠蹊部保冷保温体収容部６０が左の鼠蹊部３からずれたりするようなことはない。
また、立った状態や動いている状態でも頸部保冷保温体収容部２０が頸部１からずれたり、右鼠蹊部保冷保温体収容部４０が右の鼠蹊部２からずれたり、左鼠蹊部保冷保温体収容部６０が左の鼠蹊部３からずれたりするようなことはないので、仕事等をする場合でも頸部１、右の鼠蹊部２、左の鼠蹊部３を同時に冷やすことができる。
なお、前記頸部保冷保温体収容部第１装着ベルト３０、頸部保冷保温体収容部第２装着ベルト３２、右鼠蹊部保冷保温体収容部第１装着ベルト５０、右鼠蹊部保冷保温体収容部第２装着ベルト５２、左鼠蹊部保冷保温体収容部第１装着ベルト７０、左鼠蹊部保冷保温体収容部第２装着ベルト７２は共にゴム等の伸縮性素材で形成されているので、装着する身体の体型にあまり左右されること無く保冷体・保温体装着具１０を密着して装着することができる。
また、前記頸部保冷保温体収容部第１装着ベルト３０と右鼠蹊部保冷保温体収容部第１装着ベルト５０、右鼠蹊部保冷保温体収容部第２装着ベルト５２の間でテンションがかかり、前記頸部保冷保温体収容部第２装着ベルト３２と左鼠蹊部保冷保温体収容部第１装着ベルト７０、左鼠蹊部保冷保温体収容部第２装着ベルト７２の間でテンションがかかるため装着バランスをとることができ、保冷体・保温体装着具１０を装着している時の束縛感を軽減することができる。
【０００９】
図７及び図８には第２実施例の保冷体・保温体装着具８０が示されている。なお、第１実施例の保冷体・保温体装着具１０と同一の構成は同一の符号を用いてその説明を省略する。
図７に示されるように、第２実施例の保冷体・保温体装着具８０は頸部保冷保温体装着体８２、右鼠蹊部保冷保温体装着体８４、左鼠蹊部保冷保温体装着体８６から構成されている。
前記頸部保冷保温体装着体８２は第１実施例の保冷体・保温体装着具１０の頸部保冷保温体装着体１２と異なり連結片３６を備えていない。
図８に示されるように、前記右鼠蹊部保冷保温体装着体８４の右鼠蹊部保冷保温体収容部４０の他側には帯状の右鼠蹊部保冷保温体収容部連結片９０が直接取り付けられている。また、前記左鼠蹊部保冷保温体装着体８６の左鼠蹊部保冷保温体収容部６０の他側にも帯状の左鼠蹊部保冷保温体収容部連結片９２が直接取り付けられている。
従って、第２実施例の保冷体・保温体装着具８０を身体に装着する場合は、前記頸部保冷保温体装着体８２を頸部１に掛けるようにして頸部保冷保温体収容部２０を頸部１に対応させる。
次に、右鼠蹊部保冷保温体装着体８４の右鼠蹊部保冷保温体収容部４０を右の鼠蹊部２に対応させる。
そして、前記頸部保冷保温体収容部第１装着ベルト３０に取り付けられている挟持バックル３４を右鼠蹊部保冷保温体装着体８４の右鼠蹊部保冷保温体収容部連結片９０に挟持する。
また、前記右鼠蹊部保冷保温体収容部第１装着ベルト５０を後方から前方に配設させて右鼠蹊部保冷保温体収容部第１装着ベルト５０の挟持バックル５４を前記右鼠蹊部保冷保温体収容部連結片９０に挟持する。
次に、左鼠蹊部保冷保温体装着体８６の左鼠蹊部保冷保温体収容部６０を左の鼠蹊部３に対応させる。
そして、前記頸部保冷保温体収容部第２装着ベルト３２に取り付けられている挟持バックル３４を左鼠蹊部保冷保温体装着体８６の左鼠蹊部保冷保温体収容部連結片９２に挟持する。
また、前記左鼠蹊部保冷保温体収容部第１装着ベルト７０を後方から前方に配設させて左鼠蹊部保冷保温体収容部第１装着ベルト７０の挟持バックル７４を前記左鼠蹊部保冷保温体収容部連結片９２に挟持する。
これにより、図７に示されるように前記保冷体・保温体装着具８０を身体に密着状態で装着することができる。
なお、他の構成、作用、効果は第１実施例の保冷体・保温体装着具１０と同一であるので、その説明は省略する。
【００１０】
なお、実施例では病気等で高熱がでた場合に熱を下げる場合に保冷体・保温体装着具１０，８０を使用する場合を説明したが、これに限定されるものでなく前記保冷体・保温体装着具１０，８０は夏場等の熱中症予防対策や、あるいは屋外労働時、スポーツ時等に使用してもよいことは勿論である。
【００１１】
また、実施例では保冷体・保温体装着具１０，８０を使用して身体の頸部１、右の鼠蹊部２、左の鼠蹊部３を冷やす場合を例にして説明したが、これに限定されるものではない。例えば頸部１、右の鼠蹊部２、左の鼠蹊部３を温めたい場合は頸部保冷保温体収容部２０、右鼠蹊部保冷保温体収容部４０、左鼠蹊部保冷保温体収容部６０に保冷体２９の変わりに保温剤を入れた公知の保温体（携帯カイロ等）を収容して前記保冷体・保温体装着具１０を身体に装着すれば頸部１、右の鼠蹊部２、左の鼠蹊部３を同時に温めることができる。
【００１２】
なお、第１実施例では右鼠蹊部保冷保温体収容部第１装着ベルト５０と右鼠蹊部保冷保温体収容部第２装着ベルト５２の挟持バックル５４を頸部保冷保温体収容部第１装着ベルト３０に取り付けられている連結片３６に挟持し、左鼠蹊部保冷保温体収容部第１装着ベルト７０と左鼠蹊部保冷保温体収容部第２装着ベルト７２の挟持バックル７４を頸部保冷保温体収容部第２装着ベルト３２に取り付けられている連結片３６に挟持したがこれに限定されるものでなく、例えば右鼠蹊部保冷保温体収容部第１装着ベルト５０と右鼠蹊部保冷保温体収容部第２装着ベルト５２の挟持バックル５４を頸部保冷保温体収容部第１装着ベルト３０に直接挟持し、左鼠蹊部保冷保温体収容部第１装着ベルト７０と左鼠蹊部保冷保温体収容部第２装着ベルト７２の挟持バックル７４を頸部保冷保温体収容部第２装着ベルト３２に直接挟持するようにしてもよいことは勿論である。
また、実施例では保冷体・保温体装着具１０，８０の頸部保冷保温体装着体１２，８２と右鼠蹊部保冷保温体装着体１４，８４と左鼠蹊部保冷保温体装着体１６，８６を一緒に装着している場合を示したが、頸部保冷保温体装着体１２，８２と右鼠蹊部保冷保温体装着体１４，８４と左鼠蹊部保冷保温体装着体１６，８６は別々に装着してもよい。
また、前記頸部保冷保温体収容部第１装着ベルト３０、前記頸部保冷保温体収容部第２装着ベルト３２、右鼠蹊部保冷保温体収容部第１装着ベルト５０、右鼠蹊部保冷保温体収容部第２装着ベルト５２、左鼠蹊部保冷保温体収容部第１装着ベルト７０、左鼠蹊部保冷保温体収容部第２装着ベルト７２は、長さ調節を自由に行うことができる構造のものでもよいことは勿論である。
なお、前記頸部保冷保温体収容部２０、右鼠蹊部保冷保温体収容部４０、左鼠蹊部保冷保温体収容部６０は保冷体２９又は保温体を収容できるものであれば実施例の構造に限定されないことは勿論である。
【図面の簡単な説明】
【００１３】
【図１】第１実施例の保冷体・保温体装着具を身体に装着した状態斜視図である。
【図２】第１実施例の保冷体・保温体装着具の頸部保冷保温体装着体の正面図である。
【図３】第１実施例の保冷体・保温体装着具の頸部保冷保温体装着体の一部拡大斜視図である。
【図４】第１実施例の保冷体・保温体装着具の右鼠蹊部保冷保温体装着体の正面図である。
【図５】第１実施例の保冷体・保温体装着具の右鼠蹊部保冷保温体装着体の一部拡大斜視図である。
【図６】第１実施例の保冷体・保温体装着具の左鼠蹊部保冷保温体装着体の正面図である。
【図７】第２実施例の保冷体・保温体装着具を身体に装着した状態斜視図である。
【図８】第２実施例の保冷体・保温体装着具の右鼠蹊部保冷保温体装着体と左鼠蹊部保冷保温体装着体の正面図である。
【符号の説明】
【００１４】
１０    保冷体・保温体装着具
１２    頸部保冷保温体装着体
１４    右鼠蹊部保冷保温体装着体
１６    左鼠蹊部保冷保温体装着体
２０    頸部保冷保温体収容部
３０    頸部保冷保温体収容部第１装着ベルト
３２    頸部保冷保温体収容部第２装着ベルト
３４    挟持バックル
３６    連結片
４０    右鼠蹊部保冷保温体収容部
５０    右鼠蹊部保冷保温体収容部第１装着ベルト
５２    右鼠蹊部保冷保温体収容部第２装着ベルト
５４    挟持バックル
６０    左鼠蹊部保冷保温体収容部
７０    左鼠蹊部保冷保温体収容部第１装着ベルト
７２    左鼠蹊部保冷保温体収容部第２装着ベルト
７４    挟持バックル
【図１】
0005216366.tif 000002
【図２】
0005216366.tif 000003
【図３】
0005216366.tif 000004
【図４】
0005216366.tif 000005
【図５】
0005216366.tif 000006
【図６】
0005216366.tif 000007
【図７】
0005216366.tif 000008
【図８】
0005216366.tif 000009